【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
実質的に立方体である通常の幾何学的立体の形状を有するキュービックロジック玩具であって、
上記立体は、上記立体の幾何学的中心に一致する中心と、上記立体の外面の中心を通過しかつ上記外面に直交する座標軸とを有する３次元直交座標系を備え、上記立体は、上記３次元直交座標系の各方向毎に上記玩具のユーザに見える奇数Ｎ個の層を有し、
上記Ｎ個の層のそれぞれは複数の別個のピースから構成され、
上記複数のピースは上記３次元直交座標系の座標軸の周りで複数の層として回転可能であり、
上記複数のピースからなる組は、中心の３次元十字支持部上に上記立体を形成するようにともに保持され、上記３次元十字支持部は、上記立体の中心に設けられ、６つの円筒形状の脚部を有し、上記各脚部の対称軸は上記３次元直交座標系の半軸に一致し、
上記複数のピースからなる組は、上記３次元十字支持部上に、６つのキャップピースによって、すなわち上記立体の各面の中心における６つのピースによって保持され、上記キャップピースのそれぞれは、上記３次元十字支持部の対応する脚部にねじ止めされ、
上記キュービックロジック玩具において、
上記３次元直交座標系の各方向毎に、その方向で隣接する任意の２つの層を構成する各ピースに関して、上記２つの層のうちの第１の層を構成するピースと上記２つの層のうちの第２の層を構成するピースとの間において、上記３次元直交座標系の対応する半軸上に軸を有する直円錐面が形成され、上記第１の層を構成するピースと上記第２の層を構成するピースとは、上記複数のピースが上記３次元直交座標系の座標軸の周りで複数の層として回転するとき、上記直円錐面に沿って互いに移動し、
Ｎ＝２κ＋１とするとき、上記３次元直交座標系の半軸毎にκ個の直円錐面が形成され、
上記直円錐面のうちの最も内側の第１の直円錐面を生成する角度φ１は、上記第１の直円錐面の頂点が上記立体の幾何学的中心に一致するときは、５４．７３５６１０３２゜より大きく、上記第１の直円錐面が広がる方向に向かう半軸とは逆向きの半軸上に上記第１の直円錐面の頂点が位置するときは、５４．７３５６１０３２゜より小さな値以上であり、
上記第１の直円錐面以降の各直円錐面を生成する角度は、φκ＞φκ−１＞…＞φ１に従って次第に増大し、
上記３次元直交座標系の各方向毎に、その方向で隣接する任意の２つの層を構成する各ピースに関して、上記２つの層のうちの外側の層を構成する各ピースは、上記２つの層の間の直円錐面から、上記２つの層のうちの内側の層を構成する各ピースに向かう凸部を有し、上記内側の層を構成する各ピースは上記凸部に対応する凹部を有し、これにより、上記外側の層を構成する各ピースは、部分的に、上記内側の層を構成する各ピースに対して、上記立体の幾何学的中心に近い側から接し、
上記凹部及び凸部は、上記立体の幾何学的中心に一致する同一の中心を有する複数の球面のうちの１つに沿って形成されることを特徴とするキュービックロジック玩具。
【請求項２】
Ｎ＝３，５のいずれかであるとき、上記立体の外面は平面であることを特徴とする請求項１記載のキュービックロジック玩具。
【請求項３】
Ｎ＝７，９，１１のいずれかであるとき、上記立体の外面は実質的に平面である、すなわち上記玩具の寸法に比較して十分に長い半径を有する球面であることを特徴とする請求項１記載のキュービックロジック玩具。
【請求項４】
上記半軸毎の上記直円錐面の個数κ＝１，２，３，４，５のいずれかであるとき、Ｎ＝２κ＋１＝３，５，７，９，１１のいずれかを満たし、これにより、
・上記３次元直交座標系の座標軸の周りで複数の層として回転可能であるピースと、中心の上記３次元十字支持部との合計の個数は、Ｔ＝６（２κ）２＋３であり、
・上記複数のピースのうちで類似の形状及び寸法を有するピースからなるグループの個数は、
【数１】
2010119890.tif 000001
であり、
・上記玩具のユーザに見える全ピースの個数は、６（２κ）２＋２であることを特徴とする請求項１記載のキュービックロジック玩具。
【請求項５】
実質的に立方体である通常の幾何学的立体の形状を有するキュービックロジック玩具であって、
上記立体は、上記立体の幾何学的中心に一致する中心と、上記立体の外面の中心を通過しかつ上記外面に直交する座標軸とを有する３次元直交座標系を備え、上記立体は、上記３次元直交座標系の各方向毎に上記玩具のユーザに見える偶数Ｎ個の層を有し、
上記Ｎ個の層のそれぞれは複数の別個のピースから構成され、
上記複数のピースは上記３次元直交座標系の座標軸の周りで複数の層として回転可能であり、
上記複数のピースからなる組は、中心の３次元十字支持部上に上記立体を形成するようにともに保持され、上記３次元十字支持部は、上記立体の中心に設けられ、６つの円筒形状の脚部を有し、上記各脚部の対称軸は上記３次元直交座標系の半軸に一致し、
上記キュービックロジック玩具において、
上記立体は、上記３次元直交座標系の各方向毎に、上記玩具のユーザに見える偶数Ｎ個の層のうちの中央の２層の間に設けられた上記玩具のユーザに見えない１つの層をさらに有し、上記玩具のユーザに見えない層のそれぞれは、複数の別個のピースから構成され、
上記複数のピースからなる組は、上記玩具のユーザに見えない層のピースのうちの６つのキャップピースによって上記３次元十字支持部上に保持され、上記キャップピースのそれぞれは、上記立体の各面の中心に近接し、上記キャップピースのそれぞれは、上記３次元十字支持部の対応する脚部にねじ止めされ、
上記各ピースの最も外側の部分における外側の面は、上記立体の外面の一部を形成するときには、実質的に平面であり、上記玩具のユーザに見えない層を形成するときには、球面により形成され、
上記３次元直交座標系の各方向毎に、その方向で隣接する任意の２つの層を構成する各ピースに関して、上記２つの層のうちの第１の層を構成するピースと上記２つの層のうちの第２の層を構成するピースとの間において、上記３次元直交座標系の対応する半軸上に軸を有する直円錐面が形成され、上記第１の層を構成するピースと上記第２の層を構成するピースとは、上記複数のピースが上記３次元直交座標系の座標軸の周りで複数の層として回転するとき、上記直円錐面に沿って互いに移動し、
Ｎ＝２κとするとき、上記３次元直交座標系の半軸毎にκ個の直円錐面が形成され、
上記直円錐面のうちの最も内側の第１の直円錐面を生成する角度φ１は、上記第１の直円錐面の頂点が上記立体の幾何学的中心に一致するときは、５４．７３５６１０３２゜より大きく、上記第１の直円錐面が広がる方向に向かう半軸とは逆向きの半軸上に上記第１の直円錐面の頂点が位置するときは、５４．７３５６１０３２゜より小さな値以上であり、
上記第１の直円錐面以降の各直円錐面を生成する角度は、φκ＞φκ−１＞…＞φ１に従って次第に増大し、
上記３次元直交座標系の各方向毎に、その方向で隣接する任意の２つの層を構成する各ピースに関して、上記２つの層のうちの外側の層を構成する各ピースは、上記２つの層の間の直円錐面から、上記２つの層のうちの内側の層を構成する各ピースに向かう凸部を有し、上記内側の層を構成する各ピースは上記凸部に対応する凹部を有し、これにより、上記外側の層を構成する各ピースは、部分的に、上記内側の層を構成する各ピースに対して、上記立体の幾何学的中心に近い側から接し、
上記凹部及び凸部は、上記立体の幾何学的中心に一致する同一の中心を有する複数の球面のうちの１つに沿って形成されることを特徴とするキュービックロジック玩具。
【請求項６】
Ｎ＝２，４のいずれかであるとき、上記立体の外面は平面であることを特徴とする請求項５記載のキュービックロジック玩具。
【請求項７】
Ｎ＝８，１０のいずれかであるとき、上記立体の外面は実質的に平面である、すなわち上記玩具の寸法に比較して十分に長い半径を有する球面であることを特徴とする請求項５記載のキュービックロジック玩具。
【請求項８】
Ｎ＝６であるとき、上記立体の外面は平面であることを特徴とする請求項５記載のキュービックロジック玩具。
【請求項９】
Ｎ＝６であるとき、上記立体の外面は実質的に平面である、すなわち上記玩具の寸法に比較して十分に長い半径を有する球面であることを特徴とする請求項５記載のキュービックロジック玩具。
【請求項１０】
上記半軸毎の上記直円錐面の個数κ＝１，２，３，４，５のいずれかであるとき、Ｎ＝２κ＝２，４，６，８，１０のいずれかを満たし、これにより、
・上記３次元直交座標系の座標軸の周りで複数の層として回転可能であるピースと、中心の上記３次元十字支持部との合計の個数は、Ｔ＝６（２κ）２＋３であり、
・上記複数のピースのうちで類似の形状及び寸法を有するピースからなるグループの個数は、
【数２】
2010119890.tif 000002
であり、
・上記玩具のユーザに見えるピースの個数は、
【数３】
2010119890.tif 000003
であり、
・上記玩具のユーザに見えないピースであって、上記３次元直交座標系の各方向における上記玩具のユーザに見えない層に属するピースの個数は、ＮＶ＝６（４κ−１）であることを特徴とする請求項５記載のキュービックロジック玩具。
【請求項１１】
上記各キャップピースを上記３次元十字支持部の脚部にねじ止めするねじは、ばねによって包囲されたことを特徴とする請求項１〜１０のいずれかか１つに記載のキュービックロジック玩具。